Podtech/llm-jp-corpus-v4-ja_patent huggingface dataset:
(57)【要約】【課題】  七輪を用いてに炭火や薪を使用する際に、変化する火力に対して焼肉用の網を上下に昇降させるための機構を持たせ、焼肉など一般的にバーベキューに使用される食材を好みに応じて調理できるようにする。【解決手段】  使用する七輪６の外形寸法より一回り大きくした、上段リング１と下段リング３とは同心円を保ちながら斜めの方向に傾けた同じ形状の支柱４を複数本用いて連結させるものとするが、この間に中段リング２を配置するために中段リング２には支柱４を貫通させてスライドできる大きさの穴と七輪６の上部に載せるための支え板５を設けてセットできるようにする。焼肉網を載せた上段リング１を昇降させる際は中段リング２を固定しながら下段リング３を左右方向に回転させることで火力の変化に対応して食材を近づけたり離したりすることで好みに応じた調理することができる。【選択図】  図１
2006102454.tif 000002
【特許請求の範囲】
【請求項１】
七輪を用いてに炭や薪を使用する際に、使用する七輪６の外形寸法より、一回り大きくした設定した金属のリングを三つ用意し、それぞれ上段リング１、中段リング２、下段リング３として同心円上に配置するものとするが、上段リング１と下段リング３とは同心円を保ちながら斜めの方向に傾けた同じ形状の支柱４を複数本用いて連結させることで形状を安定させ、中段リング２にはリング上に支柱４を貫通させ、支柱４をスライドできる大きさの穴を設けると共に七輪６の上部に載せて安定させるため、必要な枚数と長さを持たせた支え板５を接続させておき、この中段リング２を上段リング１と下段リング３の間に配置させられた支柱４に通し差すように配置させる。これにより七輪を用いて調理する際は中段リング２を固定しながら、下段リング３を左右方向に回転させることで焼肉網を載せた上段リング１を昇降させることができ、火力の変化に対応して食材を近づけたり離したりすることで好みに応じた調理することができる。
【発明の詳細な説明】
【技術分野】
【０００１】  七輪等で使用される焼肉用の網に合わせて使用する装置に関する。
【背景技術】
【０００２】  従来、七輪で炭や薪を使用して調理する際は点火した時点では弱く、徐々に強くなりながらピークを過ぎて弱まってくるように火力の変化が特徴であり、焼け具合を調整するためには、その変化に注意深く合わせていく必要がある。
【発明の開示】
【発明が解決しようとする課題】
【０００３】  本発明は七輪を用いてに炭や薪を使用する際に、変化する火力に対して焼肉用の網を上下に昇降させるための機構を持たせ、焼肉など一般的にバーベキューに使用される食材を火力の変化に応じて調理させることを課題とする。
【課題を解決するための手段】
【０００４】  本発明は使用する七輪６の外形寸法より、一回り大きくした設定した金属のリングを三つ用意し、それぞれ上段リング１、中段リング２、下段リング３として同心円上に配置するものとするが、上段リング１と下段リング３とは同心円を保ちながら斜めの方向に傾けた同じ形状の支柱４を複数本用いて連結させることで形状を安定させ、中段リング２にはリング上に支柱４を貫通させ、支柱４をスライドできる大きさの穴を設けると共に七輪６の上部に載せて安定させるため、必要な枚数と長さを持たせた支え板５を接続させておき、この中段リング２を上段リング１と下段リング３の間に配置させられた支柱４に通し差すように配置させる。これにより七輪を用いて調理する際は中段リング２を固定しながら、下段リング３を左右方向に回転させることで焼肉網を載せた上段リング１を昇降させることができ、火力の変化に対応して食材を近づけたり離したりすることで好みに応じた調理することができる。
【発明の効果】
【０００５】  本発明は、とくに炭火で調理する場合は炭の火力の変化に応じて調理することが可能となり、一般にバーベキューに使用される食材を、できるだけ早い時間で焼いたり、長い時間をかけてゆっくりと調理したり、あるいは食材を保温の目的で使用することができる。
【発明のを実施するための最良の形態】
【０００６】  本発明は使用する七輪６の外形寸法より、一回り大きくした設定した金属のリングを三つ用意し、それぞれ上段リング１、中段リング２、下段リング３として同心円上に配置するものとするが、上段リング１と下段リング３とは同心円を保ちながら斜めの方向に傾けた同じ形状の支柱４を複数本用いて連結させることで形状を安定させ、中段リング２にはリング上に支柱４を貫通させ、支柱４をスライドできる大きさの穴を設けると共に七輪６の上部に載せて安定させるため、必要な枚数と長さを持たせた支え板５を接続させておき、この中段リング２を上段リング１と下段リング３の間に配置させられた支柱４に通し差すように配置されるものとする。
【実施例１】
【０００７】  この実施例の焼肉網用の昇降装置は七輪６の熱で変形しないような金属で製作され、上記の手段を講じることで、七輪を用いて調理する際は中段リング２に配置した複数の支え板５を用いて七輪６の上部に載せ、中段リング２を固定しながら、下段リング３を左右方向に回転させることで焼肉網を載せた上段リング１を昇降させることができ、火力の変化に対応して食材を近づけたり離したりすることで好みに応じた調理することができるものとする。
【実施例２】
【０００８】  この実施例の焼肉網用の昇降装置の上段リング１と下段リング３の間隔は、七輪６の火力の変化に対応するために必要な高さで設定し、接続させる支柱４の傾きは上段リング１と下段リング３が調理していく過程で勝手に下降しないで済む傾斜を持たせるものとする。
【産業上の利用可能性】
【０００９】  本発明は近年、日常生活であまり七輪を使用しなくなったこともあり、七輪を用いて炭や薪を使用する際に適切な炭や薪の量と、その火力の変化に対応できずに好みの焼き加減や焼いていくペース配分などの調理が、うまくいかないケースが見られたが、本発明は火力に応じて好みの網の高さを調整できる機構を持たせたことにより、変化する火力に対応して食材を近づけたり離すことで好みに応じて調理することができ、初めて七輪を使用する人でも容易に調理ができるようにすると共に焼肉店の設置を初め、バーベキューなどのレジャー産業に対してアプローチできるものとした。
【図面の簡単な説明】
【００１０】
【図１】本発明の実施例に係る斜視図である。
【図２】本発明の実施例に係る側面図である。
【符号の説明】
【００１１】  １  上段リング
２  中段リング
３  下段リング
４  支柱
５  支え板
６  七輪
【図１】
2006102454.tif 000003
【図２】
2006102454.tif 000004
(57)【要約】      （修正有）【課題】棒状部材の両端に、円板状のカム機構やクサビ機構を設置し、自重及び吊り下げ物の重量を利用して取り付ける構造の室内物干し棒は、取り付けにコツや勘が必要だったが、誰でも確実に取り付け可能にする室内物干し器具を提供する。【解決手段】伸縮部分の内筒２に目盛り３を設け、壁間距離に対して適正な長さにセットする事を可能にした。この構造により、常にカム６に取り付けた弾性部材が設定通りの効果を発揮し、安定性と着脱性を両立可能とした。【選択図】図１
2006102457.tif 000002
【特許請求の範囲】
【請求項１】
棒状部材の両端に、円板状のカム機構やクサビ機構を装置し、自重及び吊り下げ物の重量によって、両側の壁や柱等に突っ張る事により取り付ける構造の室内物干し装置において、下記のいずれか又は、全ての特徴を有する、室内物干し器具。
自重等で両側の壁等に突っ張る構造とは、特許出願２００３−３５５６６４の、請求項１から４の構造を指し、棒状部材とは、パイプ材や角材、丸棒、異形断面のアングル材等を指す。
１，棒状部材は、内筒と外筒の組合せで構成し、外筒に対して内筒を回転させる事で伸縮をロック又は解除可能な構造とし、なおかつ、両端に取り付けたカム機構等の、どちらか一方は、棒状部材に対して回転自在に装置した。
上記の伸縮をロック又は解除可能な構造とは、外筒に挿入された内筒の先端に、ネジ又はクサビ、カム機構等を設け、内筒に取り付けた部材を、内筒の回転によって、外筒の内表面に押し付ける構造などの、一般的な構造を指す。
２，棒状部材の表面に、目盛りまたは数字、記号等を装置し、本体の伸縮量を定量的に測定、把握、明示する事を可能に構成した。
また、目盛りを、一定間隔で色分けする構成や、一定間隔で目盛りの長さを変化させる事により、細かい目盛りでも確実に認識可能とした構成も含む。目盛りの装置方法としては、棒状部材に直接印刷する方法や、印刷したシール等を貼り付ける方法などを指す。
３，円盤状のカムは、カムの外表面を左右対称形状とし、１種類のカム形状で、両側のカム機構に、共通して使用可能となるように装置した。
４，棒状部材は、スライドして伸縮する複数の部材で構成され、各部材の間に、クサビを装置する事により、両側を引張るだけで伸ばせるが、縮める時はロックする様に構成し、なおかつ、クサビを引き抜く事による、ロックの解除手段を設けた。
解除手段とは、クサビに凹部や凸部や粗面を設ける方法や、テコやレバー等で、クサビをスライドさせる構造を指す。また、通常は、スプリング等の弾性部材でクサビを押し付けておき、弾性部材の押し付け荷重を取り去る事で、クサビのロックを解除する構造や、クサビの形状を変化させる事で、ロックを解除する構成等も含む。
【発明の詳細な説明】
【技術分野】
【０００１】本発明は、室内に洗濯物等を干す為の室内物干し器具に関するもので、特に、吊り下げ物の自重を利用して、壁間等に取り付ける構造の、室内物干し器具に関する。
【背景技術】
【０００２】自重で壁間に取り付ける物干し器具としては、特許出願２００３−３５５６６４（室内物干し棒）が有る。本発明は、この先願特許を改良し、さらに利便性を増したものである。
【発明の開示】
【発明が解決しようとしている課題】
【０００３】特許出願２００３−３５５６６４は、産業上、非常に有益な発明であるが、壁間に取り付ける際に、慣れや勘が必要で、使い難いと言う欠点が有った。
特に、壁と壁との間隔に合わせ、なおかつ、弾性部材により、カム機構等を少し動かせた状態で取り付けないと、本体が落ちてしまったり、外れなくなったりした。
【課題を解決する為の手段】
【０００４】伸縮する棒状部材に、目盛り等を装置し、例えば、壁の長さに対して、１目盛り分だけ伸ばす事で、誰でも確実に取り付け可能にした。
また、内筒と外筒を相対回転させるロック機構を採用した場合でも、常にカムが適正な向きに取り付け可能にする為、一方の円板状カムを棒状部材に対して回転自在とした。
【発明の効果】
【０００５】本発明により、先願特許の有益な構造が、誰でも簡単に使う事が可能になった。
【発明を実施するための最良の形態】
【０００６】伸縮自在な内外筒の両端に、円板状のカム機構を装置し、伸縮部分には目盛りとロック機構を備え、一方のカム機構は、内外筒に対して回転自在に構成する。
【実施例】
【０００７】図１は、本発明の実施例を表す。外筒１に伸縮自在に挿入された内筒２の先端には、伸縮をロックする機構５が取りつけられている。外筒１を保持して内筒２を回転させると、クサビの効果で５の表面が外筒１の内面に押し付けられ、伸縮はロックされる。逆方向に回転させれば、ロックは解除される。６は、特許出願２００３−３５５６６４の、請求項２に記載された円板状のカム機構であり、４は、内筒に対してカム機構６を回転自在に保持する結合部材である。結合部材４は、２と６を、ピンやボルトで連結した構造にすれば簡単に製造できる。【０００８】両側の壁７に、本発明品を取りつける場合、全体の幅が壁間距離よりもわずかに長く、カムが少し回転して、カムに取り付けた弾性部材が一定量だけ変形している事が必要である。変形量が少ないと、カムの外表面が壁を押す荷重が発生しない為、本体が落ちてしまう。又、変形量が大き過ぎると、取り付けに過大な力が必要で、取り外しも難しくなる。【０００９】図１の通り、本発明の構造ならば、次の順序で簡単に取り付け、取り外しが可能である。
１，外筒１と内筒２を両手で持って壁の間に挿入し、左右に引っ張って、両側のカムの表面が、壁７に、軽く触れるまで伸ばす。
２，一旦、壁間から取り外し、目盛り３を見ながら、一目盛り分だけ内筒を引き出す。
３，外筒１に対して内筒２を回転させ、伸縮をロックする。
４，内筒２に対してカム機構６を回転させ、左右のカム機構を、同じ上向きに合せる。
５，本体を、片側の壁７に軽く押し当て、斜め下から壁７の間に挿入し、取り付ける。
６，取り外す時は、片側のカム機構６を持ち上げれば、簡単に外す事ができる。【００１０】また、円板カムの形状を左右対称形状にすれば、製造が容易になる。伸縮のロック機構をクサビ機構にすれば、ロックがワンタッチとなり、さらに操作性や利便性が増す。
【産業上の利用可能性】
【００１１】本発明によれば、吊り下げ物の自重で保持する室内物干し棒が、誰にでも簡単に、壁間に取り付け、取り外す事が可能となる。
【図面の簡単な説明】
【００１２】
【図１】図１は、本発明の実施例を表す。伸縮する内筒と外筒の両端に、荷重を突っ張り力に変換するカム機構を装置し、内筒の先端に伸縮のロック機構を備え、表面に目盛りを備え、又、内筒とカム機構の間に、相対回転自在に保持する部材を備えた。
【符号の説明】
【００１３】１、本発明品の外筒である。
２、本発明品の内筒である。
３、内筒に装置された目盛りである。
４、内筒とカム機構を回転自在に保持する部材である。
５、内筒に取り付けた、伸縮のロック機構である。
６、先願特許の、円板カム機構を指す。
７、本発明品を取り付ける、室内の壁である。
【図１】
2006102457.tif 000003
(57)【要約】【課題】  湯上り時や運動時に背中にかく汗を吸汗し、同時に首周りや顔面等の汗もふけるＴ字形タオルを提供する。【解決手段】  ２枚のタオルを用い、１枚目のタオルの２辺ある長辺のうちの１辺の中心点ともう１枚のタオルの２辺ある短辺のうちの１辺の中心点を合わせたとき、タオルとタオルが互いに重ならずにＴ字形を形成するよう辺と辺を縫合したことを特徴とするＴ字形タオル。【選択図】図１
2006102451.tif 000002
【特許請求の範囲】
【請求項１】
２枚のタオルを用い、１枚目のタオルの２辺ある長辺のうちの１辺の中心点ともう１枚のタオルの２辺ある短辺のうちの１辺の中心点を合わせた時、タオルとタオルが互いに重ならずにＴ字形を形成するよう辺と辺を縫合したことを特徴とするＴ字形タオル。
【発明の詳細な説明】
【技術分野】
【０００１】  本発明は、湯あがり時や運動時に背中にかく汗を吸汗し、同時に首周りや顔面等の汗も拭けるＴ字形タオルに関するものである。
【背景技術】
【０００２】  湯上りや運動時には、首周りや背中に多量の汗をかくことが多い。そのままにしておくと衣類が濡れて冷えることにより風邪を引くこともある。【０００３】  このような問題を解決するために吸汗を目的とした汗取りタオルは種々あった。【０００４】  例えば、吸水性の布製タオルの長辺を人体の座高の２倍程度にして、その中間部に人体における頭部を通過させうるような人体の肩巾よりも小さな径の孔を構成させてなるタオルに人体の頭を通過させて、予め素肌に触れる状態に着用した上にスポーツウェア等の上着を着用しておき、発汗によって濡れた状態のタオルを上着の胸元の隙間から手を入れてタオルを掴んでたぐり出した後、タオルから頭を外して上方に引張って背中側のタオルも引出すことにより人前でも容易に取り去ることができるようにしてある（特許文献１）。
【特許文献１】特開平１１−２８５４５５号公報
【発明の開示】
【発明が解決しようとする課題】
【０００５】  しかし、背中の汗を吸汗し、同時に首周りや顔面等にかいた汗も拭くことができ、汗で濡れたタオルを簡単に取り外すことができる機能をもち合わせたタオルはなかった。
本発明は、以上の問題点を解決するためになされたものである。
【課題を解決するための手段】
【０００６】    本発明は、上記機能をもたせるために２枚のタオルを用い、１枚目のタオルの２辺ある長辺のうちの１辺の中心点と、もう１枚のタオルの２辺ある短辺のうちの１辺の中心点を合わせたとき、タオルとタオルが互いに重ならずにＴ字形を形成するよう辺と辺を縫合したことを特徴とするＴ字形タオルである。
【発明の効果】
【０００７】  本発明のＴ字形タオルは、背あて部のタオルを直接素肌に当て、その上からパジャマ・浴衣・スポーツウェア等の衣類を着用する。首回り部のタオルは、襟から外に出るので通常のタオルのように首にかけて使用し、首周りや顔面の汗を拭くことが出来る。背中の汗は背あて部のタオルが吸汗するので衣類が濡れない。汗でタオルが濡れたら更衣室や脱衣場がなくても首周り部のタオルを引き上げて簡単に取り外すことが出来る。【０００８】  また、ウォーキング等の運動時、首周り部のタオルは背あて部のタオルと一体となっており、背あて部は衣類に押さえられているために肩からのずれ落ち防止に効果がある。
【発明を実施するための最良の形態】
【０００９】  以下、本発明の実施の形態を添付図面を参照して説明する。【００１０】  図１は、本発明のＴ字形タオルの構成を示す平面図である。１は首周り用タオルで、２は背あて用タオルで、３は首周り用タオルと背あて用タオルを一体化してＴ字形を形成させるための縫合部である。【００１１】  図１の１に示す首周り用タオルの２辺ある長辺のうちの１辺の中心点と、２に示す背あて用タオルの２辺ある短辺のうちの１辺の中心点を合わせたとき、タオルとタオルが互いに重ならずにＴ字形を形成するよう辺と辺を縫合する。
本発明は以上の構成で、これを使用するときは、背あて用タオルを直接素肌に当ててから衣類を着用し、首周り用タオルは通常の首かけタオルのように使用する。【００１２】  図２は、図１に示す本発明のＴ字形タオルを使用している状態を模式的に示した図である。図２の（ａ）は、図１に示した構成態様の本発明のＴ字形タオルを素肌の上に着用した状態の人体の側面側から見た模式図であり、図２の（ｂ）は、図１に示した構成態様の本発明のＴ字形タオルを素肌の上に着用した上に、スポーツウェアを着用している状態を示しており、図２の（ｃ）は、図２の（ｂ）の状態から、発汗によって濡れた背中側のタオルを上方に引張って引出している状態の人体の正面側の模式図である。
【実施例１】
【００１３】  洗髪後、図３に示すように本発明のＴ字形タオルの首周り用タオルで頭部を巻くように被い、背あて用タオルを衣類の上に出し垂れ下げておくと濡れた髪で衣類が濡れるのを防止できる。
【実施例２】
【００１４】  また、図４に示すようにアウトドアで食事をするときに、背あて用タオルを胸側にかけると胸元の汚れを防止できる。
【図面の簡単な説明】
【００１５】
【図１】本発明のＴ字形タオルの構成を示す平面図である。
【図２】本発明のＴ字形タオルの使用態様を示す図である。
【図３】実施例１の使用態様を示す図である。
【図４】実施例２の使用態様を示す図である。
【符号の説明】
【００１６】    １‥首周り用タオル
２‥背あて用タオル
３‥縫合部
【図１】
2006102451.tif 000003
【図２】
2006102451.tif 000004
【図３】
2006102451.tif 000005
【図４】
2006102451.tif 000006
(57)【要約】【課題】ステッキに発光球を内臓させ、外側には光反射フイルムを貼って夜間の交通事故より歩行者を保護する、歩行補助ステッキである。【解決手段】中空の透明プラスチックの内部に、発光ダイオ−ド球を設置し発光し点滅させ更に、パイプの外側には光反射フイルムを貼り外部からの光を反射させる。ステツキ上部の握り手部分の内部には、乾電池、発光ダイオ−ド球用点滅基盤、光感知スイッチ基盤、配線、電源スイッチ、などが格納されている。電源スイッチを入れると、発光球が点滅するし外部よりの光にも反応し自動点滅する。又、外部よりステッキに光線が当たると、光線を反射するのが特徴とする交通安全ステッキ．．【選択図】  図１
2006102456.tif 000002
【特許請求の範囲】
【請求項１】
透明なプラスチックのパイプを利用した歩行者用のステッキで、パイプ内部に発光ダイオ−ド球を内臓させ、更にステッキの握り手部分の外部には電源スイッチを取り付け、内部には乾電池、光感知点灯スイッチ、発光ダイオ−ド球点滅リレ−基盤、配線などを内臓さて、夜間の歩行時に発光ダイオ−ド球を、点灯し点滅させて、走行中の車輛や歩行者に対してステッキ使用者が歩行中であることを強くアピ−ルして、交通事故から保護をすることを目的とした交通安全用ステッキである。
【発明の詳細な説明】
【技術分野】
【０００１】本発明は、透明なプラスチック製のパイプの内部に、発光ダイオ−ド球を装着して夜間使用時に発光点滅させて、交通弱者が夜間歩行時に歩行中であることを周囲の歩行者や、走行中の車輌に強くアピ−ルして、交通事故から身を守ろうとするものである。
【背景技術】
【発明の開示】
【０００２】  従来、ステッキ自体を発光体で発光させたり、光に反射させる技術はなかった。
【発明の開示】
【発明が解決しようとする課題】
【０００３】そのために、次のような問題があった。
通常のステッキは、本体に発光体や反射材などを使用していない為に、夜間の使用は歩行者が周囲の暗闇に溶け込んでしまい、周囲の歩行者や走行中の車輛からは発見されにくく、ステッキ使用の歩行者は回りの暗闇に溶け込み、走行中の車輛や歩行中の歩行者から発見されにくく、交通事故に巻き込まれ易く非常に危険である。
本発明は、これらの問題点を解決するためになされたものである。
【問題を解決するための手段】
【０００４】ステッキ本体は透明のプラスチックパイプで出来ており、パイプの内部には発光ダイオ−ド球と電源が連結された配線がセットされている。
更にステッキの上部に、握り手が取り付けてあり内部には、電源である乾電池、発光ダイオ−ド球点滅用基盤、光感知スイッチ基盤、配線などが格納されている。
発光ダイオ−ド球とステッキ内部の機器と、握り手内部の機器は配線で連結されている。握り手外部の先端には、発光球用電源スイッチが設置されている。
以上が特徴とする、交通安全用発光ステッキである。
【発明の効果】
【０００５】交通弱者が夜間の外出の際に、発光ステッキを使用する事によって、公道、私道などの照明の暗い場所での、対向車、後方車、周囲の歩行者に対して、発光体の点滅により遠くからでも強力に視認させるので、交通弱者であるステッキ使用者は極めて安全に歩行することが出来る。
【発明を実施するための最良の形態】
【０００６】以下、本発明の実施の形態について説明する。
（３）ステッキ本体は、透明なプラスチック製のパイプで出来ていて、上部には（１）握り手が取り付けてあり、内部に（８）電源用乾電池、（１０）光感知基盤、（１１）発光ダイオ−ド球用点滅基盤、（７）発光ダイオ−ド球用配線、等が格納されている。
（１）握り手の外部には（９）発光ダイオ−ド球電源スイッチが取り付けられている。
また、（３）ステッキ本体の内部には、（２）発光ダイオ−ド球と（７）発光ダイオ−ド球用配線が内臓されていて、各部分は互いに（７）発光ダイオ−ド球用配線で連結されている。
ステっキ本体の外部は、（５）光反射フイルムが貼ってあり、外光を反射する。
また、内臓されている（９）発光ダイオ−ド球部分は、発光した光線が透過しやすいように（４）透明のままにししてあり、（３）ステッキ本体の先端は（６）硬質ゴムの石突きが取り付けてある。
【実施例１】
【０００７】（１）握り手部分の（９）発光ダイオ−ド球点灯スイッチをＯＮにすると、（３）発光ステッキ本体内の（２）発光ダイオ−ド球が点灯点滅し、ステツキ本体の（４）透明部分から点滅する光源が周囲の人々や車輌に強くアピ−ルする    。
また（２）発光ダイオ−ド球は、明るい所では点灯せず暗い所でのみ（１０）光感知基盤が感知し点灯し、明るい場所に移動すると消灯して乾電池の消耗を防ぐように成っている。
【図面の簡単な説明】
【０００８】
【図１】  本発明の正面図
【図２】  本発明の断面図
【符号の説明】
【０００９】  （１）発光ステツキ握り部分              （６）ステッキ先端部石突き硬質ゴム
（２）発光ダイオ−ド球                  （７）発光ダイオ−ド球用配線
（３）ステツキ本体透明プラスチック      （８）電源用乾電池
（４）発光ダイオ−ド球部分透明          （９）発光ダイオ−ド球用電源スイッチ
（５）ステツキ本体光反射フイルム貼り    （１０）光感知スイッチ基盤
（１１）発光ダイオ−ド球用点滅基盤
【図１】
2006102456.tif 000003
【図２】
2006102456.tif 000004
(57)【要約】【課題】身体障害者、高齢者で足、腰、関節等が弱くなり、いすに座ることが簡単に出来るが、立ち上がりが困難であるので、立ち上がりを容易に出来る補助具を課題とした。【解決手段】足乗せ台、板の前方に柱を設け柱の上部に取手、手すりを設け、柱は伸縮、脱着も出来ることで解決手段とした。【選択図】図  １
2006102453.tif 000002
【特許請求の範囲】
【請求項１】
足乗せ台、板、前方に柱を設け、柱上部に取手、手すりを設けたことを特徴とする、立ち上がり補助具。
【請求項２】
立ち上がり補助具、請求項１に係る取手、手すりと連結される柱は伸縮、脱着できることを特徴とする請求項１に係る立ち上がり補助具。
【発明の詳細な説明】
【技術分野】
【０００１】本発明はいすに座ったり、立ち上がり補助具に関する。
【背景技術】
【０００２】従来、立ち上がり補助具で電動構造の発明が多く利点も多い。
【発明の開示】
【発明が解決しようとする課題】
【０００３】しかしながら、高齢者等、足腰の弱った人達はいすだけに座ることがなく、腰掛け台、ソファーに座った時には不利がある。【０００４】本発明は色々ないす、腰掛け台、ソファー等に座っても、立ち上がりを楽しくできることを課題とした。
【課題を解決するための手段】
【０００５】いす、腰掛け台、ソファー等の前方に立ち上がり補助具をセットし、足乗せ台、板に足を乗せ、足乗せ台、板に有する取手、手すりに掴まって、立ち上がりを簡単に楽しくできることで、上記課題を解決手段とした。
【発明の効果】
【０００６】本発明は、下記のような効果がある。
高齢者、身体障害者等で、足腰の弱い人達はいす、腰掛け台、ソファー等に座ることが簡単にできるが、立ち上がることに困難があるので、本発明の立ち上がり補助具に足を乗せ、取手、手すりに掴まることで安全と安定ができ、簡単に楽しく立ち上がりができる効果がある。
【発明を実施するための最良の形態、実施例】
【０００７】本発明は足乗せ台、板構造からなり、足乗せ台、板の前方に取手、手すりを設ける柱を設け、柱の上部に取手、手すりを設け、柱は伸縮、脱着もできる構造である。
【０００８】本発明の立ち上がり補助具はいす、腰掛け台、ソファー等の前方にセットされ、使用時、足乗せ台、板に足を乗せ、取手、手すりに掴まることで安定性ができ、簡単に立ち上がりができる。
【図面の簡単な説明】
【図１】本発明に係る立ち上がり補助具の概観図である。
【符号の説明】
１    足乗せ台、板
２    柱
３    取手、手すり
４    調整締付けボルト
【図１】
2006102453.tif 000003
(57)【要約】【課題】ストーマ造設者が公衆の浴場等で入浴時に、ストーマ装具を第３者から注視されことを意識し、公衆の浴場等を利用しずらかった。【解決手段】  防水性カバーシールの裏面パット３に、ふくらみ４を設けたことで、ストーマ装具がそこに隠れ・覆われ収納されることで、第３者から直接ストーマ装具を注視されることなく、快適に公衆の浴場等を利用できる。【選択図】図３
2006102452.tif 000002
【特許請求の範囲】
【請求項１】
ストーマ造設者が入浴時に、ストーマ装具を水から保護し、公衆の浴場等を利用するときに、第３者から注視されるという意識を緩和する目的で、表面は透過しない防水性の素材で形状にはこだわらず、裏面の中央部分にストーマ装具を折畳んで収納できる大きさの保護パットがあり、粘着部分は水の中でもはがれにくい強い粘着力があり、パット部分にストーマ装具が収納できる厚さのふくらみを設けたことを特徴とするカバーシール。
【発明の詳細な説明】
【技術分野】
【０００１】  この発明は、人工肛門又は人工膀胱の装具の上に貼付するカバーシールの形状に関する。
【背景技術】
【０００２】  この発明は、他に類似しない。
【発明の開示】
【発明が解決しようとする課題】
【０００３】  ストーマ造設者が入浴時に、ストーマ装具が水に濡れたり、公衆の浴場等を利用する時にストーマ装具を第３者から注視されることを意識し、利用しずらかった。
そこで、この発明は、ストーマ装具を隠れ・覆われ、水から保護し、第三者から注視されることなく、公衆の浴場等を利用することを提供することを課題とする。
【課題を解決するための手段】
【０００４】  ストーマ造設者が入浴時にストーマ装具の上から防水性のカバーシールを簡便に貼付でき、貼用面にふくらみをもたせたことで、ストーマ装具がカバーシールで覆うこととする。
【発明の効果】
【０００５】  発明によれば、ストーマ造設者がこのカバーシールを、ストーマ装具の上から貼付することで、ストーマ装具を水から保護し、ストーマ装具が隠れ・覆われ、公衆の浴場等を利用する際に第３者から注視されることなく快適に入浴できる。
【発明を実施するための最良の形態】
【０００６】  この発明の一実施形態を、図１・図２・図３に示す。
表面１は、防水性の素材で、形状にはこだわらずストーマ装具が覆うことのできる大きさであればよい。裏面中央部分に折畳んだストーマ装具が収納できる大きさのパット３が１箇所あり、パット部分３にふくらみ４があることで貼用しやすくなっている。
【産業上の利用可能性】
【０００７】  この発明は、ストーマ造設者以外の者で、皮膚等を部分的に隠したい時に応用できるものと考える。
【図面の簡単な説明】
【０００８】
【図１】表面を示した平面図である。
【図２】裏面を示した平面図である。
【図３】側面を示した断面図である。
【符号の説明】
【０００９】    １防水カバー
２粘着面
３パット
４ふくらみ
【図１】
2006102452.tif 000003
【図２】
2006102452.tif 000004
【図３】
2006102452.tif 000005
(57)【要約】      （修正有）【課題】使用されないときはコンパクトにすることができる調理器具を提供する。【解決手段】グリルでの調理により得られるのと類似した審美的特徴で調理するために内面に突出部１３を有する食物用の器具１０は、改良された調理のために、そのベース１１とリム１２’との両方に突出部を有する。調理器具の２つのハンドル部分１４Ａ、１４Ｂを折り畳めるようにした。【選択図】    図１
2006102522.tif 000002
【特許請求の範囲】
【請求項１】
ベース（１１）並びにリム（１２）を有する本体と、
ハンドル（１４）とを具備し、このハンドルは、これの長軸に沿って分離された２つのハンドル部分（１４Ａ，１４Ｂ）により構成され、
前記ハンドルの部分（１４Ａ，１４Ｂ）の各々の一端部は、本体の基部に対して枢支されており、これらハンドルの部分（１４Ａ，１４Ｂ）は、動作位置と休止位置との間で回動可能であり、この動作位置では、これらハンドルの部分が互いに適合して本体の基部に一端が固定された１つのハンドルを形成し、この休止位置では、これらハンドルの部分が本体に沿って位置される、食物の調理用器具。
【請求項２】
前記２つのハンドル部分（１４Ａ，１４Ｂ）は、動作位置と休止位置との間で、互いに反対方向に回動可能である請求項１の器具。
【請求項３】
前記２つのハンドル部分（１４Ａ，１４Ｂ）は、休止位置では、本体のリムに沿って位置される請求項１もしくは２の器具。
【請求項４】
前記本体のリム（１２）は、基部から延びた直線部を有し、前記２つのハンドル部分（１４Ａ，１４Ｂ）は、休止位置では、前記リムの直線部に沿って位置される請求項３の器具。
【請求項５】
前記ハンドルの部分（１４Ａ，１４Ｂ）の各々の一端部は、本体の基部に対して枢支ピン（１５Ａ，１５Ｂ）により枢支されている請求項１ないし４の
いずれか１の器具。
【発明の詳細な説明】
【技術分野】
【０００１】
本発明の主題は、食物を調理するための器具に関してである。
【背景技術】
【０００２】
食物が調理され得るようにベースに一連の突出部を設け、グリルでの調理により生じるのと対応した調理の最終の審美的効果を達成するようにして調理器具が知られている。
【発明の開示】
【発明が解決しようとする課題】
【０００３】
本発明の目的は、使用されないときはコンパクトにすることのできる上記形式の器具を提供することである。
【課題を解決するための手段】
【０００４】
この目的は、ベース並びにリムを有する本体と、
ハンドルとを具備し、このハンドルは、これの長軸に沿って分離された２つのハンドル部分により構成され、
前記ハンドルの部分の各々の一端部は、本体の基部に対して枢支されており、これらハンドルの部分は、動作位置と休止位置との間で回動可能であり、この動作位置では、これらハンドルの部分が互いに適合して本体の基部に一端が固定された１つのハンドルを形成し、この休止位置では、これらハンドルの部分が本体に沿って位置される、食物の調理用器具により、達成される。
【発明を実施するための最良の形態】
【０００５】
本発明は、添付の図面を参照して、限定されない実施の形態の以下の記載からより良く理解されるであろう。  
符号１０で全体を通して示されている器具は、食物を調理することを意図しており、ベース１１とリム１２とを有する本体を具備し、扇形に類似した平面での形状をなしている。
【０００６】
この本体は、これの内側に一連の突出部１３を有している。これら突出部は、扇形の頂点から器具のリム１２の円弧状の前部１２´へと、ベース１１に沿ってほぼ放射状に延びている。上述したように、これら突出部は、グリルでの調理により生じるのと対応した調理の最終の審美的効果を達成するのを可能にしている。  
前記リム１２の円弧状の前部１２´は、好ましくは、垂直面に対して約３０°の角度で前方に傾斜されている。
【０００７】
前記扇形の頂点で、器具１０は、ハンドル１４を有している。このハンドルは、実質的に長軸に沿って分けられ、かつこの長軸に沿って互いに適合される２つのハンドル部分１４Ａ，１４Ｂから構成されている。これらハンドル部分１４Ａ，１４Ｂの夫々の一端部は、部分１４Ａのためのピン１５Ａと、部分１４Ｂのためのピン１５Ｂとを介して、本体の基部に互いに反対方向に回動可能に枢支されている。このような回動は、動作位置と休止位置との間での２つのハンドル部分１４Ａ，１４Ｂの回動を可能にしている。動作位置では、これら部分は、器具１０の本体の基部に固定された単一のハンドルを形成するように互いに適合され、また、休止位置では、図４並びに５に示されるように、ハンドル部分は、本体の直線状のリムの部分に沿って位置される。
【０００８】
前記突出部１３が、器具１０のリム１２の前部１２´にも存在していることにより、器具のこの部分もまた利用され得るので、食物のより良い調理が可能となっている。
【０００９】
前記リム１２の弓形となった前部１２´と、その前方への傾斜とは、２つの重要な効果をもたらす。即ち、第１には、調理スペースの面積を大きくしているので、調理スペースが最適となる。また、調理された食物が皿の上へと容易に空にすることができる。かくして、調理された食物は、支持されて、崩れて審美的に人目を引かないでおかれることが阻止される。
【００１０】
上述され、また図示された器具１０の実施の形態と、２つのハンドル部分１４Ａ，１４Ｂとが折り畳まれ得るという事実により、器具は、非常にコンパクトになって、これが中に位置されるキッチンのキャビネットや皿洗器内での占有スペースが小さくなり、また、他の器具と干渉するようなことがなくなる。
【００１１】
前記ベースとリム上の突出部は、上述し、また図示した以外の形態、形状、構造を有し得るし、また、数も変更され得る。例えば、前記突出部は、互いに平行でも、交差しても良い。さらに、これら突出部は、器具のベース並びに／もしくはリムの内側の全てもしくは一部のみに設けられ得る。しかし、説明し図示された突出部の例は、特に有効であることが強調され得る。
【００１２】
器具のハンドルもまた、種々の形態を有し得る。
【図面の簡単な説明】
【００１３】
【図１】図１は、本発明の調理器具の斜視図である。
【図２】図２は、図１に示す調理器具の平面図である。
【図３】図３は、図１に示す調理器具の一部切欠側面図である。
【図４】図４は、ハンドルが休止位置にある図１に示す調理器具を示す図である。
【図５】図５は、ハンドルが休止位置にある図２に示す調理器具を示す図である。
【符号の説明】
【００１４】
１０・・・器具、１１・・・ベース、１２・・・リム、１４Ａ，１４Ｂ・・・ハンドル部分、１５Ａ，１５Ｂ・・・ピン。  
【図１】
2006102522.tif 000003
【図２】
2006102522.tif 000004
【図３】
2006102522.tif 000005
【図４】
2006102522.tif 000006
【図５】
2006102522.tif 000007
(57)【要約】【課題】犬など動物の歯磨きは大変困難なため、歯全体に歯石がこびりつき歯周病になりやすい。付着した歯石は通常何年かに一度動物病院において全身麻酔を用い除去する事ができるが、歯周病や麻酔による命への危険が伴い根本的な解決にはならない。本発明はこの問題を解決し、犬などの動物が家庭において心身ともに健康に過ごせることを目的としたものである。【解決手段】一端にベルト係止溝を形成し、他端にベルト固定手段を形成した棒状体を構成し、前記ベルト係止溝とベルト固定手段によってベルトを固定してなり、上記棒状体を動物の口の奥歯に水平にかませて口を広げさせ、ベルトでマズルを押さえて固定する動物用開口器。【選択図】図１
2006102519.tif 000002
【特許請求の範囲】
【請求項１】
一端にベルト係止溝を形成し、他端にベルト固定手段を形成した棒状体を構成し、前記ベルト係止溝とベルト固定手段によってベルトを固定してなり、上記棒状体を動物の口の奥歯に水平にかませて口を広げさせ、ベルトでマズルを押さえて固定する動物用開口器。
【請求項２】
前記棒状体は、断面が円形、多角形、または星形のいずれかからなる請求項１記載の動物用開口器
【発明の詳細な説明】
【技術分野】
【０００１】  本発明は犬などのマズル（馬や犬などの目と目の間から鼻先までを言い、これには顎も含まれる。）を有する動物が、口をあけた状態を保っていられないために家庭では困難であった歯磨きなどの口腔内清掃作業が容易に行えるよう、動物の口の奥歯に棒をかませ、ベルトでマズルを固定することにより開口した状態を保てるようにしたもの。
【背景技術】
【０００２】  従来の特許文献１記載の動物用開口器は大掛かりで家庭では簡単に使用できない。【０００３】
【特許文献１】  実開平５−２４０１６
【発明の開示】
【発明が解決しようとする課題】
【０００４】  犬など動物の歯磨きは大変困難なため歯全体に歯石がこびりつき歯周病になりやすい。付着した歯石は通常何年かに一度動物病院において全身麻酔を用い除去する事ができるが、歯周病や麻酔による命への危険が伴い根本的な解決にはならない。本発明はこの問題を解決し、犬などの動物が家庭において心身ともに健康に過ごせることを目的としたものである。
【課題を解決するための手段】
【０００５】  棒状体のものを犬など動物の口の奥歯に水平にかませて口を広げさせ、ベルトでマズルをおさえ面ファスナーなどで固定する。【０００６】  また、第二の課題解決手段は前記棒状体の断面図が円形、多角形または星形などで形成させる。
【発明の効果】
【０００７】  上記第一の課題解決手段による効果は、棒状体のものを犬など動物の奥歯に水平にかませることにより開口した状態を作り出し、ベルトでマズルを固定させることで開口した状態を保つことができるため、歯磨きなどの口腔内の清掃作業を容易に行うことができる。【０００８】  また、第二の課題解決手段による効果は棒状体の断面を円形、多角形または星形などで形成させることにより、犬などの動物の口から棒状体が外れるのをより効果的に防止できる。【０００９】  また、簡単に着脱することができ、しかも一旦装着すると外れ難いため家庭などでも手軽に使用できる。
【発明の実施するための最良の形態】
【００１０】  以下、本発明の実施の形態を図１〜図５に基づいて説明する。
【００１１】  棒状体２は例えば図２に示すように断面が円形（２ａ）四角形（２ｂ）その他多角形または星形（２ｃ）に形成されている。また材質はプラスチックなどの適宜な材質を選択できる。
【００１２】  図１に示すように棒状体２の一端にはベルト係止溝４が形成され、他端にはベルト固定手段２２が形成されている。ベルト固定手段２２はベルト固定軸２２ｃと、その両側に形成したベルト通し用孔２２ａと開口孔２２ｂからなる。
図４と図５に示すように、ベルト１の一端は予め棒状体のベルト固定軸２２ｃに固定しておく。ベルト１の他端は開口孔２２ｂに通して棒先端部２３に引っ掛け、ベルト１の先端に形成した面ファスナー３ｂをベルト１の他の部分に形成してある面ファスナー３ａにて係止する。
【００１３】  一方、図４に示すようにベルト１は、例えば合繊などの丈夫な素材からなる帯状体で、その端部に面ファスナー３ｂを設けてこれによってベルト１上の面ファスナー３ａに止める。
【００１４】  この開口器を使用するときは図１に示すように棒状体２を犬など動物の口の奥歯に水平にかませ、マズルにベルトを回しかけ固定する。これにより歯磨きなどが容易に行える。
【図面の簡単な説明】
【００１５】
【図１】  本発明の実施の形態にかかる動物用開口器の使用状態を示す説明図である。
【図２】  各種の棒状体の断面形状を示す断面斜視図で（ａ）は円形、（ｂ）は四角形（多角形）、（ｃ）は星形を示す。
【図３】  棒状体の平面図である。
【図４】  棒状体にベルトを装着した状態の斜視図である。
【図５】  図３のＡ−Ａ線断面図においてベルトを装着した状態を示す説明図である。
【符号の説明】
【００１６】  １      ベルト
２      棒状体（２ａ  ２ｂ  ２ｃ）
２２    ベルト固定手段（２２ａベルト通し用孔  ２２ｂ開口孔  ２２ｃベルト固定軸）
４      係止溝
３ａ    面ファスナー
３ｂ    面ファスナー
７      マズル（馬や犬などの目と目の間から鼻先までを言い、これには顎も含まれる。）
【図１】
2006102519.tif 000003
【図２】
2006102519.tif 000004
【図３】
2006102519.tif 000005
【図４】
2006102519.tif 000006
【図５】
2006102519.tif 000007
(57)【要約】【課題】  従来の超音波センサでは、薬品によって音響整合層２が腐食されるという問題がある。【解決手段】  ケース７の底部に音響整合層８を装着し、音響整合層８の上に圧電セラミックス９を装着し、ケース７の上端近傍に形成したネジ部７ａに蓋部１１の下端に形成したネジ部１１ｄを嵌合し、ケース７の上端が接触する蓋部１１に平パッキン１２が装着され、ケース７の上端近傍が接触する蓋部１１の側部にＯリングパッキン１３が装着され、蓋部１１の上部に形成した引き出し部１１ａの中空部１１ｂを通してケーブル１０が引き出され、蓋部１１の引き出し部１１ｂの上端にコネクタ１４を装着することにより引き出し部１１ａの上端から液体の侵入を防ぐように構成され、蓋部１１の引き出し部１１ａの上端側面に超音波センサを取り付ける取り付け用ネジ１１ｃが形成されている。【選択図】図１
2006319592.tif 000002
【特許請求の範囲】
【請求項１】
ケースの底部に装着される音響整合層と、該音響整合層の上に装着される圧電セラミックスと、該圧電セラミックスに接続されるコードを引き出すケーブルと、前記ケースの側部に形成されたネジ部と嵌合するネジ部を嵌合部に形成し、上部に形成した引き出し部に装着したコネクタを介して前記ケーブルを引き出すようにした蓋部と、前記蓋部の前記ケースとの接触面に装着された平パッキンとからなることを特徴とする超音波センサ。
【請求項２】
前記蓋部の前記ネジ部の上部にＯリングパッキンを装着することを特徴とする請求項１記載の超音波センサ。
【請求項３】
前記蓋部の前記引き出し部の側部に取り付け用ネジを形成することを特徴とする請求項１記載の超音波センサ。
【請求項４】
前記ケース内の前記音響整合層と前記圧電セラミックスの周囲に樹脂を充填することを特徴とする請求項１記載の超音波センサ
【発明の詳細な説明】
【技術分野】
【０００１】
本発明は、圧電セラミックスと音響整合層をケースと蓋部とにより密閉するようにして、超音波振動が外部に伝達されないようにするととに、薬品環境に使用できる超音波センサに関するものである。
【背景技術】
【０００２】
従来、図２に示すように、圧電素子１が音響整合層２に固定され、圧電素子１を囲むように筒状ケース３が音響整合層２に固定され、圧電素子１を埋めるように筒状ケース３に弾性樹脂４が充填され、圧電素子１にコード５を介してコネクタ６が接続された超音波センサが提案されている。
【０００３】
このように構成した従来の超音波センサでは、音響整合層２が露出しているために、この超音波センサを薬品環境に使用すると、薬品によって音響整合層２が腐食されるという問題があった。
【特許文献１】特開平１０−２２４８９５号公報
【発明の開示】
【発明が解決しようとする課題】
【０００４】
解決しようとする問題点は、従来の超音波センサでは、薬品によって音響整合層２が腐食されるという問題がある。
【課題を解決するための手段】
【０００５】
本発明では、音響整合層はケースの底部に装着され、圧電セラミックスは音響整合層の上に装着され、ケーブルは圧電セラミックスの接続されるコードを引き出すように構成され、蓋部はケースの側部に形成されたネジ部と嵌合するネジ部を嵌合部に形成し、上部に形成した引き出し部に装着したコネクタを介してケーブルを引き出すように構成し、平パッキンは蓋部のケースとの接触面に装着されるものである。
【発明の効果】
【０００６】
本発明の超音波センサでは、ケースと蓋部との間にＯリングパッキン又は平パッキンを使用することにより、ケースと蓋部との間に機密性を持たせるとともに、圧電セラミックスから発生する振動が蓋部を介して引き出し部に装着される部材に伝達されないという利点がある。
【発明を実施するための最良の形態】
【０００７】
本発明では、超音波センサを薬品環境で使用するために、ケースの底部に音響整合層を装着し、音響整合層に圧電セラミックスを装着して、ケースに蓋部をネジ嵌合し、ケースと蓋部の間に平パッキンとＯリングパッキンを使用して構成した。
【実施例】
【０００８】
図１は本発明の実施例の超音波センサの側面断面図で、ケース７の底部に音響整合層８を装着し、音響整合層８の上に圧電セラミックス９を装着し、この圧電セラミックス９の上下面にケーブル１０から引き出したコード１０ａ、１０ｂを接続し、又、ケース７の上端近傍に形成したネジ部７ａに蓋部１１の下端に形成したネジ部１１ｄを嵌合し、ケース７の上端が接触する蓋部１１に平パッキン１２が装着され、又、ケース７の上端近傍が接触する蓋部１１の側部にＯリングパッキン１３が装着され、蓋部１１の上部に形成した引き出し部１１ａの内部の中空部１１ｂを通してケーブル１０が引き出され、蓋部１１の引き出し部１１ａの上端にコネクタ１４を装着することにより、引き出し部１１ａの上端から液体が侵入することを防ぐように構成しており、又、蓋部１１の引き出し部１１ａの上端側面にこの超音波センサを取り付ける取り付け用ネジ１１ｃが形成され、さらに、ケース７内に樹脂をモールドしている。
【０００９】
このように構成された本実施例の超音波センサでは、ケース７と蓋部１１をネジ嵌合して一体に構成し、ケース７内に音響整合層８及び圧電セラミックス９を装着し、ネジ嵌合部分に平パッキン１２又はＯリングパッキン１３を装着して、薬品の侵入を防ぐようにしたので、薬品の環境の中で使用しても、音響整合層８及び圧電セラミックス９が薬品で汚染されることがなく、又、ケース７内に樹脂をモールドすることにより、さらに、密閉性を持たせることができ、又、ケース７と蓋部１１をネジ嵌合してネジ嵌合近傍に平パッキン１２又はＯリングパッキン１３を装着することにより、圧電セラミックス９から発生した振動は平パッキン１２又はＯリングパッキン１３により遮断され、蓋部１１の取り付け用ネジ１１ｃを介して外部に伝達されることがないという利点がある。
【産業上の利用可能性】
【００１０】
なお、上記実施例において、ケース７内にモールドする樹脂はフッ素樹脂が好ましく、又、ケース７と蓋部１１の嵌合部分に装着するパッキンは平パッキン１２又はＯリングパッキン１３のいずれか一方でもよい。
【図面の簡単な説明】
【００１１】
【図１】本発明の実施例の超音波センサの側面断面図である。
【図２】従来の超音波センサの側面断面図である。
【符号の説明】
【００１２】
７                ケース
８                音響整合層
９                圧電セラミックス
１０              ケーブル
１１              蓋部
１２              平パッキン
１３              Ｏリングパッキン
１４              コネクタ
【図１】
2006319592.tif 000003
【図２】
2006319592.tif 000004
(57)【要約】【課題】  発泡マイカ製の振動板の音質を改善し、ＷＦ用に限らずフルレンジ用のスピーカとしても使用可能とした電気音響変換器用振動板を提供する。【解決手段】  発泡マイカ製の振動板基材の少なくとも一方の表面にスキン層を設け、各種物性を向上させ、中高域の音質を改善し、フルレンジ用スピーカにも使用可能とした。【選択図】    図１
2006319588.tif 000002
【特許請求の範囲】
【請求項１】
発泡マイカ製の振動板基材の少なくとも一方の表面にスキン層を設けたことを特徴とする電気音響変換器用振動板。
【請求項２】
請求項１記載の電気音響変換器用振動板において、前記スキン層は金属箔または熱可塑性樹脂からなることを特徴とする電気音響変換器用振動板。
【発明の詳細な説明】
【技術分野】
【０００１】
この発明は音響機器の一種であるスピーカの如き電気音響変換器用振動板、さらに詳しくは発泡マイカ製の電気音響変換器用振動板に関する。
【背景技術】
【０００２】
振動板に要求される物性としては、例えば高弾性で適度な内部損失を有し、剛性を有し、かつ軽量であることなどが要望される。
【０００３】
振動板の軽量化を図るために振動板を発泡構造としたものがある。
【０００４】
この種の振動板としては、例えば特開昭６０−４１３９７に示されているように、細マイカ鱗片、パルプ繊維、合成繊維等からなる抄造物を加熱するなどして多泡構造としたものがある。
【特許文献１】特開昭６０−４１３９７
【発明の開示】
【発明が解決しようとする課題】
【０００５】
上記のようないわゆる発泡マイカを基体とする振動板は紙製の振動板と比較すると、比重、曲げ剛性については優れた材料であるが、その構造が多泡構造の中空であるため、ピストンモーション域では良好であるが、分割共振域での音質に問題があった。
【０００６】
この発泡マイカ製の振動板は前述の理由により、主にＷＦ用の振動板に使用されていた。
【０００７】
この発明は発泡マイカ製の振動板の音質を改善し、ＷＦ用に限らずフルレンジ用のスピーカ用としても使用可能とした電気音響変換器用振動板を提供することを目的としている。
【課題を解決するための手段】
【０００８】
請求項１記載の発明によれば、発泡マイカ製の振動板基材の少なくとも一方の表面にスキン層を設けた構成とし、上記目的を達成している。
請求項２記載の発明によれば、請求項１記載の電気音響変換器用振動板において、前記スキン層は金属箔または熱可塑性樹脂からなることを特徴とする。
【発明の効果】
【０００９】
請求項１、２記載の本発明の振動板によれば、発泡マイカ製の振動板基材の表面にスキン層を設けたため、表面の音波の伝搬が良くなり、中高域の音質を改善でき、また、ヤング率、音速、比曲げ剛性、ｔａｎδ等が向上したため、高域の伸びが良くなり、かつ再生周波数帯域が広くなり、ＷＦ用のみに限らず、フルレンジ用のスピーカにも適用することができる。
【発明を実施するための最良の形態】
【００１０】
以下、図面に沿って本発明の実施例を説明する。
【００１１】
［実施の形態１］
図１は本発明にかかる電機音響変換器用振動板の実施例の概略断面図を示す。
【００１２】
図中１は発泡マイカ２を含んでなる振動板基材である。
【００１３】
この振動板基材１は所望の物性を得るために発泡マイカ２以外に必要に応じ樹脂、合成繊維等の適宜の材料が所望量混入され構成される。
【００１４】
３は振動板基材１の少なくとも一方の面に積層されたスキン層である。
【００１５】
このスキン層３としては例えばアルミニウム箔のような金属箔が用いられ、接着剤により振動板基材１の表面に貼り合わせられる。
【００１６】
図示の実施例では振動板基材１の両面にそれぞれスキン層３が貼り合わされている。
【００１７】
図２は従来のスキン層のない発泡マイカ製の振動板と本発明品のヤング率の測定結果を示す。Ａが従来品、Ｂが本発明品であり、ヤング率も向上した。
【００１８】
図３は同様に音速の測定結果、図４は比曲げ剛性、図５はｔａｎδの測定結果であり、いずれも従来品Ａに比べ本発明品Ｂの方が、音速、比曲げ剛性、ｔａｎδがともに向上した。
【００１９】
図６は本発明品Ｂの周波数特性を示す。本発明品では振動板基材１の表面にアルミニウム箔のような金属箔を貼り合わせてスキン層３を形成することで、表面の音波の伝搬を良くすることができ、中高域の音質を改善できた。
【００２０】
なお、スキン層３としては金属箔以外に、ポリイミド樹脂フィルムのような熱可塑性樹脂フィルムを用いても良く、この場合もほぼ同様の結果を得ることができる。
【図面の簡単な説明】
【００２１】
【図１】本発明の実施例にかかる電機音響変換器用振動板の概略断面図を示す。
【図２】従来品と本発明品とのヤング率の測定結果を示す。
【図３】従来品と本発明品との音速の測定結果を示す。
【図４】従来品と本発明品との比曲げ剛性の測定結果を示す。
【図５】従来品と本発明品とのｔａｎδの測定結果を示す。
【図６】本発明品の周波数特性を示す。
【符号の説明】
【００２２】
１    振動板基材
２    発泡マイカ
３    スキン層
Ａ    従来品
Ｂ    本発明品
【図１】
2006319588.tif 000003
【図２】
2006319588.tif 000004
【図３】
2006319588.tif 000005
【図４】
2006319588.tif 000006
【図５】
2006319588.tif 000007
【図６】
2006319588.tif 000008